(57)【要約】【課題】女性の体型の特徴に着目し、量産性を低下させることがない直線プリーツでありながら、最も自然で安定したプリーツを得ることができるプリーツスカート、及び、その製造方法、並びに、同プリーツスカートの製造に適するプリーツスカート用型紙の提供を図る。【解決手段】前後の身頃用生地Ｆ、Ｂの中央に形成されたプリーツ１ａ、１ｃをストレートプリーツとし、前後の身頃用生地の左右に形成されたプリーツ１ｂ、１ｄをテーパードプリーツとする。ウエストラインｗにおけるプリーツ幅ｘｗとヒップラインにおけるプリーツ幅ｘｈとの差は、前身頃用生地の中央におけるプリーツ１ａよりも、後身頃用生地の中央におけるプリーツ１ｃ及び前後の身頃用生地の左右におけるプリーツ１ｂ、１ｄの方を大きく設定する。【選択図】          図１
2004270077.tif 000002
【特許請求の範囲】
【請求項１】
身頃用生地（Ｆ、Ｂ）に直線状の表折り目線（４）を形成することによりプリーツ（１）が設けられたプリーツスカートにおいて、
前後の身頃用生地の中央に形成されたプリーツ（１ａ、１ｃ）がストレートプリーツであり、前後の身頃用生地の左右に形成されたプリーツ（１ｂ、１ｄ）がテーパードプリーツであり、
ウエストライン（ｗ）におけるプリーツ幅（ｘｗ）とヒップラインにおけるプリーツ幅（ｘｈ）との差が、前身頃用生地の中央におけるプリーツ（１ａ）よりも、後身頃用生地の中央におけるプリーツ（１ｃ）及び前後の身頃用生地の左右におけるプリーツ（１ｂ、１ｄ）の方が大きいことを特徴とするプリーツスカート。
【請求項２】
前身頃用生地（Ｆ）と後身頃用生地（Ｂ）とが左右両側で縫製されると共にその上端でウエストベルト部材（８）に縫着され、前後の身頃用生地（Ｆ、Ｂ）にプリーツ（１）が形成されたプリーツスカートの製造方法において、
縫製前の前身頃用生地（Ｆ）と後身頃用生地（Ｂ）との夫々の中央に、ウエストライン（ｗ）におけるプリーツ幅（ｘｗ）と裾ライン（ｓ）におけるプリーツ幅（ｘｓ）とが略等しいストレートプリーツ（１ａ、１ｃ）を形成すると共に、
縫製前の前身頃用生地（Ｆ）と後身頃用生地（Ｂ）との夫々の左右両側に、ウエストライン（ｗ）におけるプリーツ幅より裾ライン（ｓ）におけるプリーツ幅が大きいテーパードプリーツ（１ｂ、１ｄ）を形成し、
前身頃用生地（Ｆ）と後身頃用生地（Ｂ）とをウエストベルト部材（８）に縫着するに際して、前身頃用生地（Ｆ）の中央におけるプリーツ（１ａ）の入れ込み量を、後身頃用生地（Ｂ）の中央（１ｃ）及び前後の身頃用生地（Ｆ、Ｂ）の左右におけるプリーツ（１ｂ、１ｄ）の入れ込み量より小さくして縫製することを特徴とするプリーツスカートの製造方法。
【請求項３】
前身頃用生地と後身頃用生地との少なくとも何れか一方の布地に直線状のプリーツを形成するためのプリーツスカート用型紙において、
型紙の中央に形成されたプリーツ用折り目線は、上下のプリーツ幅が略等しいストレートプリーツであり、型紙の左右両側に形成されたプリーツ用折り目線は、上のプリーツ幅より下のプリーツ幅が大きいテーパードプリーツであることを特徴とするプリーツスカート用型紙。
【発明の詳細な説明】
【０００１】
【発明の属する技術分野】
本願発明は、プリーツスカートに関するもである。
【０００２】
【従来の技術】
従来より、プリーツスカートは、女子学生服の制服として広く採用され量産されている。プリーツスカートには、ヒップ部分からウエスト部分の形状変化に対応させるために、布地に設ける折り目線を予め曲線に形成したものと、折り目線を直線に形成したものとの２種類に大別されるが、制服用プリーツスカートにあっては、量産性の観点から、プリーツの折り目線を直線としている。
具体的には、直線の折り目線を有する型紙に合わせて、前身頃と後身頃の生地に直線の折り目線を所謂永久プリーツ加工によって形成し、これらの身頃をウエストベルト部材に縫着するに際して、「いせ込み」、即ち、ヒップ部分よりもウエスト部分のプリーツ幅が小さくなるように生地を入れ込みながら縫製すること、を行っている。
ところが、このような生産方法を採るプリーツスカートにあっては、着用時にプリーツが開く、若しくは立つと言った、問題が生じ易いとされている。これは、人体のウエストとピップとのサイズの違いに起因するもので、特に、人体の左右の腰骨の付近では左右に大きく張り出す形となっているため、腰骨若しくはヒップ付近のプリーツが開いてしまうものであると考えられている。
この問題を解決するために、種々の提案がなされている。例えば、特許文献１にあっては、着用者に対して前後面に当たるプリーツの幅よりも脇部にあたるプリーツの幅を広くしたプリーツスカートが提案されている。このプリーツスカートにあっては、脇部にあたるプリーツの幅を広く設定することによって、腰骨付近のプリーツの開きを防止せんとするものである。
確かに特許文献１に係るプリーツスカートにあってプリーツの開きは緩和されるが、この特許文献１に係る発明は、プリーツ幅の設定に着目したものにすぎなかった。
【特許文献１】特許第２５７９４５４号
【０００３】
【発明が解決しようとする課題】
本願発明は、プリーツ自体の形状を調整することによって、腰骨付近のプリーツの開きをより確実に防止できるプリーツスカート、及びその製造方法並びにその製造用の型紙を提供せんとするものである。
特に、本願発明は、女性の体型、左右の腰骨の位置とヒップの頂部の位置との相違、並びに、プリーツの線の傾きについて着目し、より確実にプリーツの開きを防止せんとするものである。より詳しくは、人体、特に女性の体型は、ウエストに比して、左右の腰骨とヒップとが大きく張り出し、下腹の位置ではその張出が小さい。そのため、ウエストラインの周寸法とヒップラインとの周寸法とに差（ドロップ差）を付ける場合にあっても、この体型の違いを考慮して行うことが自然なプリーツを形成する点で重要である。また、左右の腰骨とヒップとが大きく張り出しているが、その張出の上下位置は、相違する。即ち、左右の腰骨の張出は、ヒップの頂部（最も張り出した位置）よりも、高い位置にある。これらの体型の特徴に着目し、最も自然で安定したプリーツを得るために、プリーツの１本１本について検討し、且つ、これらプリーツの１本１本がプリーツスカート全体としてどのように統合されるべきであるかを鋭意研究して、本願発明を完成させたものである。
【０００４】
【課題を解決するための手段】
しかして本願の第１の発明は、身頃用生地Ｆ、Ｂに直線状の表折り目線４を形成することによりプリーツ１が設けられたプリーツスカートにおいて、前後の身頃用生地の中央に形成されたプリーツ１ａ、１ｃがストレートプリーツであり、前後の身頃用生地の左右に形成されたプリーツ１ｂ、１ｄがテーパードプリーツであり、ウエストラインｗにおけるプリーツ幅ｘｗとヒップラインにおけるプリーツ幅ｘｈとの差が、前身頃用生地の中央におけるプリーツ１ａよりも、後身頃用生地の中央におけるプリーツ１ｃ及び前後の身頃用生地の左右におけるプリーツ１ｂ、１ｄの方が大きいことを特徴とするプリーツスカートを提供することにより、上記の課題を解決する。
本願の第２の発明は、前身頃用生地Ｆと後身頃用生地Ｂとが左右両側で縫製されると共にその上端でウエストベルト部材８に縫着され、前後の身頃用生地Ｆ、Ｂにプリーツ１が形成されたプリーツスカートの製造方法において、縫製前の前身頃用生地Ｆと後身頃用生地Ｂとの夫々の中央に、ウエストラインｗにおけるプリーツ幅ｘｗと裾ラインｓにおけるプリーツ幅ｘｓとが略等しいストレートプリーツ１ａ、１ｃを形成すると共に、縫製前の前身頃用生地Ｆと後身頃用生地Ｂとの夫々の左右両側に、ウエストラインｗにおけるプリーツ幅より裾ラインｓにおけるプリーツ幅が大きいテーパードプリーツ１ｂ、１ｄを形成し、前身頃用生地Ｆと後身頃用生地Ｂとをウエストベルト部材８に縫着するに際して、前身頃用生地Ｆの中央におけるプリーツ１ａの入れ込み量を、後身頃用生地Ｂの中央１ｃ及び前後の身頃用生地Ｆ、Ｂの左右におけるプリーツ１ｂ、１ｄの入れ込み量より小さくして縫製することを特徴とするプリーツスカートの製造方法を提供することにより、上記の課題を解決する。
本願の第３の発明は、前身頃用生地と後身頃用生地との少なくとも何れか一方の布地に直線状のプリーツを形成するためのプリーツスカート用型紙において、型紙の中央に形成されたプリーツ用折り目線は、上下のプリーツ幅が略等しいストレートプリーツであり、型紙の左右両側に形成されたプリーツ用折り目線は、上のプリーツ幅より下のプリーツ幅が大きいテーパードプリーツであることを特徴とするプリーツスカート用型紙であり、これにより、上記の課題を解決し得るプリーツスカートを製造するために用いることのできる型紙を提供し得たものである。
【０００５】
【発明の実施の形態】
以下、図面に基づき本願発明の実施の形態を説明する。
図１は、本願発明の実施の形態に係るプリーツスカートの斜視図であり、前身頃の左半分と、後身頃の右半分とを示す。図２は、同プリーツスカートのウエストライン付近の縫製後の布地を、立体的に示した説明図である。図３は、同プリーツスカートのウエストライン付近の縫製前の布地を、立体的に示した説明図である。図４は、同プリーツスカートの前身頃の左半分の展開図であり、図５は、同プリーツスカートの後身頃の左半分の展開図である。図４、図５においては、紙面の大きさの都合上、左半分のみを図示したが、それぞれの身頃は、図中の一点鎖線を中心に右半分が左半分と対称に形成されている。
【０００６】
この実施の形態に係るプリーツスカートは、前身頃用生地（以下、単に前身頃Ｆという）、後身頃用生地（以下、単に後身頃Ｂという）の両端同士を縫製して筒状とし、その上端にウエストベルト部材８を縫着したもので、前後の身頃には８本ずつ、合計１６本のプリーツ１が形成されている。なお、このプリーツの本数は、１２本、２０本など、適宜変更できる。
【０００７】
このプリーツスカートは、完成段階の概略寸法が、裾回り寸法１０３ｃｍ、ヒップ寸法１００ｃｍ、ウエスト寸法６４ｃｍとされている。なお、これらの寸法は、各プリーツ１（１ａ、１ｂ、１ｃ、１ｄ）の表襞２の長さの合計であるが、着用者のサイズに応じて種々変更して実施され得る。ここで、表襞２とは、各プリーツ１にあって、他の部分の生地に隠れずにスカート表面に現れる生地部分を言う。これに対して、奥襞３とは各プリーツ１にあって、他の部分の生地に隠れて、表面に現れない部分をいう。なお、この明細書では、図３、図４に示すように、奥襞３のうち、プリーツ１の表面の表折り目線４を境として、表襞部２に隣接する部分を第１奥襞３１と呼び、表折り目線を隔てずに表襞部２に隣接する部分を第２奥襞３２と呼ぶ。第１奥襞３１と第２奥襞とは、奥折り目線５を境として折り畳まれ重ねられるものであり、第１奥襞３１は第２奥襞３２の表側に重ねられることとなる。
【０００８】
このプリーツスカートにあっては、図１に示すように、前身頃Ｆ、後身頃Ｂの両者に、スカート全周に亙って略均等にプリーツ１が１６本形成されたものであるが、前身頃Ｆの中央に形成されたプリーツ１ａ（４本）と、後身頃Ｂの中央に形成されたプリーツ１ｃ（４本）との計８本をストレートプリーツとし、前身頃Ｆの左右両側に形成されたプリーツ１ｂ（４本）と、後身頃Ｂの左右両側に形成されたプリーツ１ｄ（４本）との計８本をテーパードプリーツとしたものである。本書では、これらのプリーツを総称する場合には、プリーツ１とする。
【０００９】
この完成されたスカートにおいては、プリーツ１の表面の表折り目線４は、いずれも直線とされたものであるが、ストレートプリーツ１ａ、１ｃにあってはヒップラインｈにおけるプリーツ幅ｘｈと裾ラインｓにおけるプリーツ幅ｘｓとが略等しくされている。左右の脇に形成されたテーパードプリーツ１ｂ、１ｄにあっては、ヒップラインｈにおけるプリーツ幅ｘｈよりも裾におけるプリーツ幅ｘｓが大きくされている。ウエストラインｗのプリーツ幅ｘｗは、いずれのプリーツ１にあっても、ヒップラインｈのプリーツ幅ｘｈ及び裾ラインのプリーツ幅ｘｓより小さく設定されており、この実施の形態では、全てのプリーツのウエストラインｗのプリーツ幅ｘｗは互いに等しく設定されている。
なお、ヒップラインは、スカートを着用した際に、人体のヒップの頂部付近に位置する仮想ラインであり、ウエストより約２０ｃｍ前後（１５〜２５ｃｍ）下方の位置であり、４、図５では二点鎖線で示した。
【００１０】
このスカートの製造時においては、図４、図５に示すように、縫製前の前身頃Ｆと後身頃Ｂとの夫々の中央に、ストレートプリーツ１ａ、１ｃを形成すると共に、前身頃Ｆと後身頃Ｂとの夫々の左右両側に、テーパードプリーツ１ｂ、１ｄを形成する。なお、図４、図５において、６は、表襞２と第２奥襞３２との境界線６を示すもので、この境界線６は生地上には表れないが、プリーツ１が折り畳まれた場合には、この境界線６上に表折り目線４が位置することとなる。
このストレートプリーツ１ａ、１ｃとテーパードプリーツ１ｂ、１ｄは、その折り目線（表折り目線４及び裏折り目線５）が、何れも屈曲していない実質的に真っ直ぐな直線であり、所謂パーマネントプレスによって形成される。従って、ストレートプリーツ１ａ、１ｄにあっては、表襞２の形状が、ウエストラインｗにおけるプリーツ幅ｘｗと裾ラインｓにおけるプリーツ幅ｘｓとが実質的に等しい長方形となり、テーパードプリーツ１ｂにあっては、表襞２の形状が、ウエストラインｗにおけるプリーツ幅ｘｗよりも裾ラインｓにおけるプリーツ幅ｘｓが大きい台形となる。その際、前身頃Ｆと後身頃Ｂといずれも長方形の生地で形成する場合には、第１裏襞３１は、ウエストラインｗにおける幅ｘｗよりも裾ラインｓにおける幅ｘｓが小さな逆台形となる。
【００１１】
次に、この前身頃Ｆと後身頃Ｂとの両端同士を、各身頃の左右両端に設けた縫い代７で縫製し、筒状とした後、ウエストベルト部材８に縫着する。この縫着の際に、ウエストサイズとヒップサイズとに寸法差（即ち、ドロップ差）を付けるため、いせ込み（プリーツのいれ込み）を行う（図３の状態から図２の状態となる）。即ち、ウエストラインｗの寸法が、ヒップラインｈや裾ラインｓよりも小さくなるように、ウエストラインｗの表折り目線４を、縫製前のプリーツ１で形成された状態よりも、第２裏襞３２上に大きく重ねる。これにより、完成時のスカートにあっては、ウエストラインｗのプリーツ幅が、ヒップラインｈのプリーツ幅ｘｈ及び裾ラインのプリーツ幅ｘｓより小さくなる。
折り目線について着目すると、表折り目線４は、そのままの状態で表折り目線４となるが、裏折り目線５については、いせ込みによって、変化する。変化するのは、ヒップラインｈからウエストラインｗにかけての部分である。即ち、裾ラインｓからヒップラインｈにかけては、裏折り目線５は、そのままの状態で裏折り目線５となるが、ヒップラインｈからウエストラインｗにかけての部分について、斜めに折れ曲がった新たな折り目が形成され、これが完成時のスカートの裏折り目線５となる。即ち、各プリーツ１の奥側の奥折り目線５にあっては、裾ラインｓからヒップラインｈまでは直線とされているものの、ヒップライン付近で一度屈曲して、ウエストラインｗへと略直線的に伸びている。
なお、ヒップラインｈからウエストラインｗにかけての部分について、縫製前の（屈曲していない）裏折り目線を符号５１で図４及び図５に示しておく。同様に、境界線６についても、いせ込み前の境界線を符号６１で示し、いせ込み後の境界線を符号６で示す。
【００１２】
ここで、第１の重要な点として、人（特に女性）の体型は、ヒップ並びに腰にあってはウエストラインの寸法とヒップラインの寸法とに大きな差があるものの、腹部にあっては、両者の寸法差が比較的小さいという点が挙げられる。この点に着目して、本願発明にあっては、人体の腰とヒップに対応する前身頃Ｆの左右両側と後身頃Ｂの全体（中央と左右両側）に設けられたプリーツ１の入れ込み量を、前身頃Ｆの中央に設けられたプリーツ１の入れ込み量よりも大きくする。即ち、ウエストラインｗにおけるプリーツ幅ｘｗとヒップラインｈにおけるプリーツ幅ｘｈとの差について、前身頃Ｆの中央におけるプリーツ１ａよりも、後身頃Ｂの中央１ｃ及び前後の身頃Ｆ、Ｂの左右１ｂ、１ｄにおけるプリーツの方が、大きくなるようにするのである。このように、ドロップ差をプリーツ毎に個別的に設定することによって、女性の体型に適合し易い形状のスカートを形成することができる。
なお、ウエストラインｗのプリーツ幅ｘｗは、前述のとおり各プリーツ１とも等しく設定してもよいが、異なるように設定することもできる。但し、ウエストラインｗのプリーツ幅は、最もよく目立つため、この実施の形態のように、等しく設定する方が望ましく、各プリーツの均一感を損なうことを極力防ぐことができる。この場合には、前身頃Ｆの中央のプリーツ１ａについては、ヒップラインｈのプリーツ幅ｘｈと裾ラインのプリーツ幅ｘｓとを、他の部分（前身頃Ｆの左右両側及び後身頃Ｂ全体）のプリーツ１ｂ、１ｃ、１ｄの同幅ｘｈ、ｘｓ）よりも小さなものとしておけばよい。ただし、等しく設定しない場合でも、このように前身頃Ｆの中央のプリーツ１ａの同プリーツ幅ｘｈ、ｘｓを、他のプリーツ１ｂ、１ｃ、１ｄの同幅ｘｈ、ｘｓより小さなものとしておくことを妨げない。
他方、前身頃Ｆの中央のプリーツ１ａについて、ヒップラインｈのプリーツ幅ｘｈと裾ラインのプリーツ幅ｘｓとを、他の部分（前身頃Ｆの左右両側及び後身頃Ｂ全体）のプリーツ１ｂ、１ｃ、１ｄと略等しくした場合には、ウエストラインｗのプリーツ幅ｘｗについては、前身頃Ｆの中央のプリーツ１ａが他の部分のプリーツ１ｂ、１ｃ、１ｄよりも小さくなる。
このように、この実施の形態では、１６本中のプリーツのうち、前身頃Ｆの中央の４本のプリーツ１ａを、他のプリーツ１ｂ、１ｃ、１ｄよりもドロップ差が小さくなるように設定することにより、人体の体型、特に、前腹の部分ではウエストラインとヒップラインとで凹凸の変化が小さいという体型に、最も対応したスカートを形成できるものである。
【００１３】
次ぎに、第２の重要な点として、左右の腰骨とヒップとは共に大きく張り出しているものの、その張出の上下位置が、相違する点が挙げられる。即ち、左右の腰骨の張出は、ヒップの頂部（最も張り出した位置）よりも、高い位置にある。このように人体の左右にあっては、腰骨が高い位置にある関係上、ウエストとの寸法変化が最も急峻であると言える。そこで、本願発明では、最も自然で安定したプリーツを得るために、前身頃Ｆの左右両側及び後身頃Ｂの全体のうち、前後の身頃Ｆ、Ｂの左右両側をテーパードプリーツ１ｂ、１ｄとし、上記の大きなドロップ差との相乗作用によって、左右の腰骨の位置に起因する急峻な寸法変化に対応し得るようにした。他方、ヒップに対応する後身頃Ｂの中央については、左右に比して急峻な変化ではないため、前述のドロップ差による対応として、ストレートプリーツ１ｃによるものとした。なお、前述の説明では、ドロップ差については、前後の身頃Ｆ、Ｂの左右両側のプリーツ１ｂ、１ｄと、後身頃Ｂの中央のプリーツ１ｃとを、略同じドロップ差としたが、前身頃Ｆの中央のプリーツ１ａよりも大きなドロップ差を付けることを条件に変化させてもよい。例えば、後身頃Ｂの中央におけるプリーツ１ｃのドロップ差を、前後の身頃Ｆ、Ｂの左右両側におけるプリーツ１ｂ、１ｄのドロップ差よりも大きく設定したり、逆に、後身頃Ｂの中央におけるプリーツ１ｃのドロップ差の方を小さくするようにしてもよい。これらのドロップ差の調整については、成熟段階に入る高校生向きと、身体の発達段階にある中学生向きとでは、前者においてより大きなドロップ差を付けることが望ましく、身体の各段階に応じた、設定を適宜選択して実施することができる。
【００１４】
なお、前述のストレートプリーツ１ａ、１ｃとテイパードプリーツ１ｂ、１ｄは、前述の縫製前の前身頃Ｆ及び後身頃Ｂと同じ折り目線を設けた型紙によって形成することができる。即ち、耐熱性素材（例えば耐熱性プラスチックシート）に、各プリーツ１と同じ形態の折り目線を形成したもので、これを２枚用意し、前身頃Ｆ又は後身頃Ｂの生地を２枚の型紙の間に挟んで折り畳り、その状態で加熱することによって、所謂永久プレス加工を施し、ストレートプリーツ１ａ、１ｃとテイパードプリーツ１ｂ、１ｄを形成するものである。
【００１５】
以上、表１に、この実施の形態に係る各身頃（型紙を含む）の各部位寸法の関係を１〜７の数字で示す。この１〜７の数字は、１が最小長さであり、順に大きくなり、７が最大の長さであることを意味する。
【００１６】
【表１】
2004270077.tif 000003
【００１７】
なお、本願発明は、この実施の形態や表の寸法関係に限定するものではなく、各請求項の範囲において変更して実施することができる。例えば、表では、前後の中央及び左右の各プリーツ群の寸法は、各群内で同じとしているが、同一群内の各プリーツの寸法は、同一とするものに限定するものではく、互いに異なるものであってもよい。また、前後の中央と左右の本数は、この例では、４本ずつの計１６本としているが、前の中央は４本、後の中央は６本、前の左右は２本ずつ、後の左右は３本ずつとする等、部位によって、本数を異なるようにしてもよい。
【００１８】
【発明の効果】
以上、本願発明は、女性の体型の特徴に着目し、プリーツの１本１本について検討し、且つ、これらプリーツの１本１本がプリーツスカート全体としてどのように統合されるべきであるかを鋭意研究し、量産性を低下させることがない直線プリーツでありながら、最も自然で安定したプリーツを得ることができたプリーツスカート、及び、その製造方法、並びに、同プリーツスカートの製造に適するプリーツスカート用型紙を提供し得たものである。
【図面の簡単な説明】
【図１】本願発明の実施の形態に係るプリーツスカートの斜視図である。
【図２】同プリーツスカートのウエストライン付近の縫製後の布地を、立体的に示した説明図である。
【図３】同プリーツスカートのウエストライン付近の縫製前の布地を、立体的に示した説明図である。
【図４】同プリーツスカートの前身頃の左半分の展開図である。
【図５】同プリーツスカートの後身頃の左半分の展開図である。
【符号の説明】
Ｆ    前身頃用生地（前身頃）
Ｂ    後身頃用生地（後身頃）
１    プリーツ
１ａ  前身頃の中央のプリーツ（ストレートプリーツ）
１ｂ  前身頃の左右両側のプリーツ（テーパードプリーツ）
１ｃ  後身頃の中央のプリーツ（ストレートプリーツ）
１ｄ  後身頃の左右両側のプリーツ（テーパードプリーツ）
２    表襞
３    奥襞
３１  第１奥襞
３２  第２奥襞
４    表折り目線
５    裏折り目線
６    境界線
７    縫い代
８    ウエストベルト部材
【図１】
2004270077.tif 000004
【図２】
2004270077.tif 000005
【図３】
2004270077.tif 000006
【図４】
2004270077.tif 000007
【図５】
2004270077.tif 000008